(57)【要約】【課題】従来の空気調和機に比べてより短時間で電子部品の接続状態を検査することができる電気機器及び空気調和機を提供する。【解決手段】冷媒の循環による空調を操作するための遠隔操作信号を受信する受信部１０ｃと、第１乃至第７接続部Ｃ１，…，Ｃ７に接続された電子部品を夫々検出する検出手段とを備える空気調和機１に、受信部１０ｃが、特定の第１乃至第７接続部Ｃ１，…，Ｃ７に電子部品が接続されていることを検査するための接続状態検査データを受信するように構成し、受信部１０ｃが受信した接続状態検査データ及び前記検出手段の検出結果に基づいて、特定の第１乃至第７接続部Ｃ１，…，Ｃ７に電子部品が接続されているか否かを判定する判定手段と、該判定手段の判定結果に応じて発光する発光ダイオード１０ｄを備える。【選択図】図１
2007303704.tif 000002
【特許請求の範囲】
【請求項１】
複数の接続部に接続された電子部品を夫々検出する検出手段を備え、該検出手段の検出結果に応じた情報を報知するようにしてある電気機器において、
特定の接続部に電子部品が接続されていることを検査するための接続状態検査データを受信する受信手段と、
該受信手段が受信した接続状態検査データ及び前記検出手段の検出結果に基づいて、特定の接続部に電子部品が接続されているか否かを判定する判定手段と、
該判定手段の判定結果に係る情報を報知する報知手段と
を備えることを特徴とする電気機器。
【請求項２】
前記受信手段は、
前記接続部に接続された電子部品が所定のデータを記憶していることを検査するための記憶内容検査データを受信するようにしてあり、
前記接続部に電子部品が接続されている場合、該電子部品からデータを取得する取得手段と、
該取得手段が取得したデータ及び前記記憶内容検査データに基づいて、前記接続部に接続された電子部品が所定のデータを記憶しているか否かを判定する記憶内容判定手段と
を備え、
前記報知手段は、
前記判定手段の判定結果及び前記記憶内容判定手段の判定結果に係る情報を報知するようにしてある
ことを特徴とする請求項１に記載の電気機器。
【請求項３】
冷媒の循環による空調を操作するための遠隔操作信号を受信する受信手段と、複数の接続部に接続された電子部品を夫々検出する検出手段とを備え、該検出手段の検出結果に応じた情報を報知するようにしてある空気調和機において、
前記受信手段は、
特定の接続部に電子部品が接続されていることを検査するための接続状態検査データを受信するようにしてあり、
前記受信手段が受信した接続状態検査データ及び前記検出手段の検出結果に基づいて、特定の接続部に電子部品が接続されているか否かを判定する判定手段と、
該判定手段の判定結果に係る情報を報知する報知手段と
を備えることを特徴とする空気調和機。
【請求項４】
前記受信手段は、
前記接続部に接続された電子部品が所定のデータを記憶していることを検査するための記憶内容検査データを受信するようにしてあり、
前記接続部に電子部品が接続されている場合、該電子部品からデータを取得する取得手段と、
該取得手段が取得したデータ及び前記記憶内容検査データに基づいて、前記接続部に接続された電子部品が所定のデータを記憶しているか否かを判定する記憶内容判定手段と
を備え、
前記報知手段は、
前記判定手段の判定結果及び前記記憶内容判定手段の判定結果に係る情報を報知するようにしてある
ことを特徴とする請求項３に記載の空気調和機。
【請求項５】
前記報知手段は、
判定結果に応じて、光を発する発光部又は音を出力する出力部を備える
ことを特徴とする請求項３又は請求項４に記載の空気調和機。
【請求項６】
前記報知手段は、
判定結果に係る情報のデータを送信する手段を備える
ことを特徴とする請求項３乃至請求項５のいずれか一つに記載の空気調和機。
【請求項７】
前記判定手段が特定の接続部に電子部品が接続されていないと判定した場合、前記検出手段の検出結果に基づいて、電子部品が接続されていない接続部を特定する特定手段と、
該特定手段が特定した接続部を示すデータを送信する手段と
を備えることを特徴とする請求項３乃至請求項６のいずれか一つに記載の空気調和機。
【請求項８】
前記報知手段は、
判定結果に応じて、空気を送風する送風ファンを駆動するファン駆動手段又は送風方向を調整する風向板を駆動する風向板駆動手段を備える
ことを特徴とする請求項３乃至請求項７のいずれか一つに記載の空気調和機。
【発明の詳細な説明】
【技術分野】
【０００１】
本発明は、組立工程において、複数の接続部に接続された電子部品を夫々検出し、検出結果に応じた情報を報知するようにしてある電気機器及び空気調和機に関する。
【背景技術】
【０００２】
空気調和機は、複数の電子部品、例えば室温検出器、湿度検出器、汚れ検出器、製品の機能を設定するための機能設定スイッチ等を備えている。また、空気調和機は、組立工程において各電子部品が特定の接続部に正常に接続されているか否かを検出し、検出結果を数個の発光ダイオードの点灯パターンによって表示する機能を有している。
数個の発光ダイオードでは、全検出結果を一度に表示することができないため、発光ダイオードは点灯パターンを段階的に複数回切り換えて検出結果を表示する。
【０００３】
このように構成された空気調和機の組立工程においては、空気調和機の検査員は、発光ダイオードの点灯パターンを確認することで、特定の接続部に電子部品が正常に接続されているか否かを検査することができる。
【０００４】
ところが、検査項目が多くなる程、発光ダイオードの点灯パターンの切り換え回数が増加するため、検出結果の表示に時間を要し、検査効率が悪くなる。もちろん、発光ダイオードを増設し、又はより多くの検出結果を一時に表示可能な液晶パネルを備えることで、検査時間を短縮できるが、製造コストが増大する。
【０００５】
この問題を解決すべく、発光ダイオードの点灯に加え、既存の風向板の向き又は送風ファンの駆動によって、検出結果を表し、検査時間を短縮可能に構成した空気調和機が提案されている（例えば、特許文献１）。
【０００６】
一方、検査時間を短縮するために、検出結果を有線ケーブルを介して外部の検査装置、例えばパーソナルコンピュータへ送信し、ディスプレイに検出結果を表示するように構成した空気調和機検査システムが提案されている。
【特許文献１】特開平８−７５２１５号公報
【発明の開示】
【発明が解決しようとする課題】
【０００７】
しかしながら、特許文献１に係る空気調和機においては、発光ダイオード及び既存の風向板の向き又は送風ファンの駆動によって検出結果を表すため、検査時間の短縮化には限界がある。
空気調和機の多機能化に伴って、接続する電子部品点数が増加した場合、又は電子部品が記憶したデータの内容を検査する必要がある場合、依然として検出結果の表示に時間を要し、検査を効率的に行うことができない。
また、検査装置を用いる場合、検査装置を用意し、該検査装置を空気調和機に接続する必要があるため、検査に手間を要する。
【０００８】
一方、上述の問題は、液晶パネルのような表示部を備えず、組立工程において電子部品の接続を要する電気機器が一般に有する問題である。
【０００９】
本発明は、斯かる事情に鑑みてなされたものであり、特定の接続部に電子部品が接続されていることを検査するための接続状態検査データを受信し、受信した接続状態検査データに基づいて特定の接続部に電子部品が接続されているか否かを判定し、判定結果に係る情報を報知するように構成することにより、電子部品の検出結果に比べて情報量が少ない判定結果に係る情報を報知することができ、検査員は前記情報によって従来の空気調和機に比べてより短時間で電子部品の接続状態を検査することができる電気機器及び空気調和機を提供することを目的とする。
【００１０】
本発明の他の目的は、接続部に接続された電子部品が所定のデータを記憶していることを検査するための記憶内容検査データを受信し、受信した記憶内容検査データに基づいて、接続部に接続された電子部品が所定のデータを記憶しているか否かを判定し、判定結果に係る情報を報知するように構成することにより、電子部品が記憶しているデータに比べて情報量が少ない判定結果に係る情報を報知することができ、検査員は前記情報によって従来の空気調和機に比べてより短時間で電子部品の記憶内容を検査することができる電気機器及び空気調和機を提供することにある。
【００１１】
本発明の他の目的は、判定結果に応じて、光を発する発光部又は音を出力する出力部を備えることにより、判定結果を光又は音によって報知することができる空気調和機を提供することにある。
【００１２】
本発明の他の目的は、判定結果に係る情報のデータを送信する手段を備えることにより、判定結果をデータ送信にて報知することができる空気調和機を提供することにある。
【００１３】
本発明の他の目的は、特定の接続部に電子部品が接続されていない場合、電子部品が接続されていない接続部を特定し、特定した接続部を示すデータを送信するように構成することにより、電子部品が接続されていない接続部を報知することができる空気調和機を提供することにある。
【００１４】
本発明の他の目的は、判定結果に応じて、空気を送風する送風ファンを駆動するファン駆動手段又は送風方向を調整する風向板を駆動する風向板駆動手段を備えることにより、既存の送風ファン又は風向板の駆動によって、判定結果を報知することができる空気調和機を提供することにある。
【課題を解決するための手段】
【００１５】
本発明に係る電気機器は、複数の接続部に接続された電子部品を夫々検出する検出手段を備え、該検出手段の検出結果に応じた情報を報知するようにしてある電気機器において、特定の接続部に電子部品が接続されていることを検査するための接続状態検査データを受信する受信手段と、該受信手段が受信した接続状態検査データ及び前記検出手段の検出結果に基づいて、特定の接続部に電子部品が接続されているか否かを判定する判定手段と、該判定手段の判定結果に係る情報を報知する報知手段とを備えることを特徴とする。
【００１６】
本発明に係る電気機器は、前記受信手段は、前記接続部に接続された電子部品が所定のデータを記憶していることを検査するための記憶内容検査データを受信するようにしてあり、前記接続部に電子部品が接続されている場合、該電子部品からデータを取得する取得手段と、該取得手段が取得したデータ及び前記記憶内容検査データに基づいて、前記接続部に接続された電子部品が所定のデータを記憶しているか否かを判定する記憶内容判定手段とを備え、前記報知手段は、前記判定手段の判定結果及び前記記憶内容判定手段の判定結果に係る情報を報知するようにしてあることを特徴とする。
【００１７】
本発明に係る空気調和機は、冷媒の循環による空調を操作するための遠隔操作信号を受信する受信手段と、複数の接続部に接続された電子部品を夫々検出する検出手段とを備え、該検出手段の検出結果に応じた情報を報知するようにしてある空気調和機において、前記受信手段は、特定の接続部に電子部品が接続されていることを検査するための接続状態検査データを受信するようにしてあり、前記受信手段が受信した接続状態検査データ及び前記検出手段の検出結果に基づいて、特定の接続部に電子部品が接続されているか否かを判定する判定手段と、該判定手段の判定結果に係る情報を報知する報知手段とを備えることを特徴とする。
【００１８】
本発明に係る空気調和機は、前記受信手段は、前記接続部に接続された電子部品が所定のデータを記憶していることを検査するための記憶内容検査データを受信するようにしてあり、前記接続部に電子部品が接続されている場合、該電子部品からデータを取得する取得手段と、該取得手段が取得したデータ及び前記記憶内容検査データに基づいて、前記接続部に接続された電子部品が所定のデータを記憶しているか否かを判定する記憶内容判定手段とを備え、前記報知手段は、前記判定手段の判定結果及び前記記憶内容判定手段の判定結果に係る情報を報知するようにしてあることを特徴とする。
【００１９】
本発明に係る空気調和機は、前記報知手段は、判定結果に応じて、光を発する発光部又は音を出力する出力部を備えることを特徴とする。
【００２０】
本発明に係る空気調和機は、前記報知手段は、判定結果に係る情報のデータを送信する手段を備えることを特徴とする。
【００２１】
本発明に係る空気調和機は、前記判定手段が特定の接続部に電子部品が接続されていないと判定した場合、前記検出手段の検出結果に基づいて、電子部品が接続されていない接続部を特定する特定手段と、該特定手段が特定した接続部を示すデータを送信する手段とを備えることを特徴とする。
【００２２】
本発明に係る空気調和機は、前記報知手段は、判定結果に応じて、空気を送風する送風ファンを駆動するファン駆動手段又は送風方向を調整する風向板を駆動する風向板駆動手段を備えることを特徴とする。
【００２３】
本発明にあっては、受信手段は、特定の接続部に電子部品が接続されていることを検査するための接続状態検査データを受信する。検出手段は、複数の接続部に接続されている電子部品を夫々検出する。つまり、接続部に接続されている電子部品の有無を検出する。そして、判定手段は、受信手段が受信した接続状態検査データ及び検出手段の検出結果に基づいて、特定の接続部に電子部品が接続されているか否かを判定し、報知手段は判定結果に係る情報を報知する。前記情報は、少なくとも判定結果を示すために必要な１ビットの情報量を有する。
従って、報知手段は、検出結果に比べて情報量が少ない判定結果に係る情報を報知するため、検査員は、従来の空気調和機に比べてより短時間で、特定の接続部に電子部品が接続されているか否かを検査することができる。
【００２４】
本発明にあっては、受信手段は、接続部に接続された電子部品が所定のデータを記憶していることを検査するための記憶内容検査データを受信する。取得手段は、接続部に接続された電子部品からデータを取得する。そして、記憶内容判定手段は、受信手段が受信した記憶内容検査データ及び取得手段が取得したデータに基づいて、電子部品が所定のデータを記憶しているか否かを判定し、報知手段は判定結果に係る情報を報知する。
従って、報知手段は、取得手段が取得したデータに比べて情報量が少ない判定結果に係る情報を報知するため、検査員は、従来の空気調和機に比べてより短時間で、電子部品が所定のデータを記憶しているか否かを検査することができる。
【００２５】
本発明にあっては、発光部は判定結果に応じて光を発する。同様に、出力部は判定結果に応じて音を発する。
従って、検査員は、光又は音によって検査結果を確認することができる。
【００２６】
本発明にあっては、空気調和機は判定結果に係る情報のデータを送信する。
従って、空気調和機の検査員は、送信されたデータによって検査結果を得ることができる。
【００２７】
本発明にあっては、特定手段は、特定の接続部に電子部品が接続されていないと判定された場合、検出手段の検出結果に基づいて、電子部品が接続されていない接続部を特定する。そして、空気調和機は、特定手段が特定した接続部を示すデータを送信する。
従って、検査員は、送信されたデータによって電子部品が接続されていない接続部を認識することができる。
【００２８】
本発明にあっては、ファン駆動手段は判定結果に応じてファンを駆動させる。同様に、風向板駆動手段は判定結果に応じて風向板を駆動する。
従って、検査員は、空気調和機が備えるファンの駆動又は風向板の駆動によって、検査結果を認識することができる。
【発明の効果】
【００２９】
本発明によれば、電子部品の検出結果に比べて情報量が少ない判定結果に係る情報を報知することができ、検査員は前記情報によって従来の空気調和機に比べてより短時間で電子部品の接続状態を検査することができる。
【００３０】
本発明によれば、電子部品が記憶しているデータに比べて情報量が少ない判定結果に係る情報を報知することができ、検査員は前記情報によって従来の空気調和機に比べてより短時間で電子部品の記憶内容を検査することができる。
【００３１】
本発明によれば、判定結果を光又は音によって報知することができる。
【００３２】
本発明によれば、判定結果をデータ送信にて報知することができる。
【００３３】
本発明によれば、電子部品が接続されていない接続部を特定し、特定した接続部を報知することができる。
【００３４】
本発明によれば、既存の送風ファン又は風向板の駆動によって、判定結果を報知することができる。
【発明を実施するための最良の形態】
【００３５】
以下、本発明をその実施の形態を示す図面に基づいて詳述する。
（実施の形態１）
図１は、本発明の実施の形態１に係る空気調和機１及び遠隔操作装置２からなる空気調和機検査システムの構成を示すブロック図である。
【００３６】
空気調和機１は、冷媒配管１２にて接続される室内機１０及び室外機１１を備えており、空気調和機１を遠隔操作する遠隔操作装置２と共に空気調和機検査システムを構成している。遠隔操作装置２は、空気調和機１の組立工程において、空気調和機１を検査するためのデータを赤外光の信号にて送信する検査データ送信装置を兼ねている。
【００３７】
室内機１０は、各辺を湾曲成形した図示しない略直方体の筐体を備えている。筐体は、前面上部に吸込口を、前面下部に送風口を夫々形成しており、吸込口から吸い込まれて、室内熱交換器１０ｊで熱交換された空調空気を送風口から送風する室内ファン１０ｉ、室内ファン１０ｉを駆動する室内ファン駆動部１０ｈ、及び制御部１０ａを収容している。送風口には、空調空気の送風方向を調整するための風向板１０ｇが揺動可能に設けられており、筐体は、風向板１０ｇを駆動する風向板駆動部１０ｆを収容している。また、筐体は前面下部の適宜箇所に、遠隔操作装置２から送信されたデータを受信する受信部１０ｃ、送信部１０ｂ、データ受信を報知するスピーカ１０ｅ、及び発光ダイオード１０ｄを備えている。
【００３８】
受信部１０ｃは、赤外光の信号を光電変換するフォトダイオードからなり、光電変換されたデータを制御部１０ａに与える。
【００３９】
制御部１０ａは、図示しないＣＰＵ、ＲＡＭ、ＲＯＭ及びタイマーなどを備えている。ＲＯＭは、空気調和機１の駆動制御を行うためのコンピュータプログラムを記憶しており、ＣＰＵは前記コンピュータプログラムをＲＡＭに読み出して実行することにより、空気調和機１の駆動制御及び空気調和機１の自己検査等を行う。
例えば、制御部１０ａは、受信部１０ｃが空気調和機１を遠隔操作するための遠隔操作データを受信した場合、スピーカ１０ｅに遠隔操作データの受信確認音を出力させる。そして、制御部１０ａは、受信部１０ｃから与えられた遠隔操作データに応じて、室内ファン１０ｉ、後述する圧縮機１１ａ等を駆動させる。
【００４０】
室内ファン１０ｉは、モータ及びインペラなどを備えており、駆動した室内ファン１０ｉは、吸込口から室内機１０内に空気を吸い込み、室内熱交換器１０ｊで熱交換された空調空気を送風口から室内機１０外へ送風する。
【００４１】
風向板１０ｇは、吸込口で上下に回動する上下風向板、及び左右に回動する複数の左右風向板からなり、空気が任意の方向へ送風されるように構成されている。制御部１０ａは、風向板駆動部１０ｆに制御信号を与えることで風向板１０ｇを駆動させ、送風口から送風される空調空気の送風方向を調整する。
【００４２】
送信部１０ｂは、制御部１０ａから与えられた信号に応じて、温度、湿度等の各種データを赤外光の信号にて遠隔操作装置２へ送信するダイオードを備えている。
【００４３】
また、室内機１０は、室温検出器１０ｏ、湿度検出器１０ｐ、汚れ検出器１０ｑ等の検出器、及び赤外光の信号を送信する送信部１０ｂを備えている。
室温検出器１０ｏは、例えばサーミスタを備えており、検出した温度検出値を制御部１０ａに与える。湿度検出器１０ｐは、例えば水蒸気が吸着した場合に電気抵抗が変化する高分子を備えており、検出した湿度検出値を制御部１０ａに与える。汚れ検出器１０ｑは、酸化すず、酸化タングステン等の金属酸化物半導体からなり、空気の汚れ成分と反応して電気抵抗が変化する感ガス体を備えており、該感ガス体の電気抵抗に応じた汚れ検出値を制御部１０ａに与える。
【００４４】
更に、室内機１０は、空気調和機１の機能を設定するための第１乃至第３機能設定スイッチ１０ｋ，１０ｌ，１０ｍ、及び空気調和機１の制御に要する各種制御定数を記憶した記憶素子１０ｎを備えている。第１乃至第３機能設定スイッチ１０ｋ，１０ｌ，１０ｍは、例えばディップスイッチである。制御部１０ａは、第１乃至第３機能設定スイッチ１０ｋ，１０ｌ，１０ｍ、及び記憶素子１０ｎが記憶している制御データに基づいて、空気調和機１の機種、機能等を特定し、空気調和機１の駆動制御を行う。
第１乃至第３機能設定スイッチ１０ｋ，１０ｌ，１０ｍは第１乃至第３接続部Ｃ１，Ｃ２，Ｃ３に夫々接続されている。また、室温検出器１０ｏは第４接続部Ｃ４、湿度検出器１０ｐは第５接続部Ｃ５、汚れ検器は第６接続部Ｃ６に接続されており、記憶素子１０ｎは第７接続部Ｃ７に接続されている。
【００４５】
室外機１１は、例えば屋外に設置されるものであり、冷媒を圧縮する圧縮機１１ａ、室外熱交換器１１ｂ、及びキャピラリチューブ１１ｃを備えており、圧縮機１１ａ、室外熱交換器１１ｂ、キャピラリチューブ１１ｃ、及び室内機１０の室内熱交換器１０ｊは、この順で冷媒配管１２にて接続され、冷媒が循環する冷媒サイクルを構成している。
また、室外機１１は、制御部１０ａに制御される圧縮機駆動部１１ｄ、室外ファン駆動部１１ｅ、及び室外ファン１１ｆを備えている。室外ファン１１ｆは、室外ファン駆動部１１ｅにより駆動され、室外機１１の筐体に形成された図示しない吸込口から熱交換する為の空気を室外機１１内に吸い込み、熱交換された空気を吹出口から吹き出す。
【００４６】
圧縮機１１ａは、制御部１０ａに制御される圧縮機駆動部１１ｄにより駆動されて、冷媒を圧縮する。室外熱交換器１１ｂは、冷房運転の場合、圧縮機１１ａで圧縮された高温・高圧の気体の冷媒ガスを、室外ファン１１ｆによって空冷することで凝縮させる。冷媒ガスの凝縮によって室外熱交換器１１ｂで発生した熱は、室外ファン１１ｆにより室外機１１内に吸い込まれた空気に与えられ、該空気は室外機１１外へ吹き出される。
【００４７】
キャピラリチューブ１１ｃは、室外熱交換器１１ｂからの冷媒を減圧し、減圧された冷媒ガスは、室内熱交換器１０ｊで蒸発する。室内ファン１０ｉにより室内機１０内に吸い込まれた空気は、室内熱交換器１０ｊによって吸熱され、吸熱された空気は、室内機１０外へ吹き出される。冷媒の凝縮及び蒸発によって、室外機１１及び室内機１０における空気が熱交換され、室内の空気が空調される。
【００４８】
また、圧縮機１１ａは、四方弁を備えており、四方弁は、冷房運転の場合、圧縮機１１ａが圧縮した冷媒の流れる方向を室外熱交換器１１ｂ側へ、暖房運転の場合、室内熱交換器１０ｊ側へ切り換える。冷媒が、圧縮機１１ａから室内熱交換器１０ｊ側へ循環する場合、室内熱交換器１０ｊ及び室外熱交換器１１ｂは夫々凝縮器及び蒸発器として機能して、空気調和機１は、暖風を室内に送風する。冷媒が、圧縮機１１ａから室外熱交換器１１ｂ側へ循環する場合、室外熱交換器１１ｂ及び室内熱交換器１０ｊは夫々凝縮器及び蒸発器として機能して、空気調和機１は、冷風を室内に送風する。
【００４９】
遠隔操作装置２は、空気調和機１を検査するための検査データを記憶した記憶部、操作部、送信部、受信部、表示部等を備えている。
送信部は、空気調和機１を検査するための検査データを送信する機能を有している。また送信部は、操作部の操作に応じた遠隔操作データを送信する。受信部は、空気調和機１から送信された温度、湿度等の各種データを受信し、受信したデータに応じて温度、湿度等を表示部に表示させる。
【００５０】
図２は、検査データの内容を示す模式図である。
検査データは、第１乃至第７接続部Ｃ１，…，Ｃ７を示すアドレス１〜アドレス７に割り当てられた接続状態検査データと、記憶内容を示すアドレス８に割り当てられた記憶内容検査データとを有している。
接続状態検査データは、第１乃至第３接続部Ｃ１，Ｃ２，Ｃ３に第１乃至第３機能設定スイッチ１０ｋ，１０ｌ，１０ｍが夫々接続されていること、第４乃至第６接続部Ｃ４，Ｃ５，Ｃ６に室温検出器１０ｏ、湿度検出器１０ｐ、汚れ検出器１０ｑが夫々接続されていること、第７接続部Ｃ７に記憶素子１０ｎが接続されていることを検査するためのデータである。
記憶内容検査データは、記憶素子１０ｎが所定のデータと同一の制御定数を記憶していることを検査するためのデータである。
なお、図２に示した検査データは、一例であり検査項目に応じた検査データを送信するように構成すると良い。
【００５１】
図３及び図４は、空気調和機１の検査に係る制御部１０ａの処理手順を示すフローチャートである。
検査開始を指示するデータを受信部１０ｃが受信した場合、制御部１０ａは、受信部１０ｃが受信したデータを取得し（ステップＳ１１）、接続状態検査データ及び記憶内容検査データを有する検査データを受信したか否かを判定する（ステップＳ１２）。検査データを受信していないと判定した場合（ステップＳ１２：ＮＯ）、制御部１０ａは、処理をステップＳ１２へ戻す。
【００５２】
検査データを受信したと判定した場合（ステップＳ１２：ＹＥＳ）、制御部１０ａは、第１乃至第３接続部Ｃ１，Ｃ２，Ｃ３に接続された第１乃至第３機能設定スイッチ１０ｋ，１０ｌ，１０ｍを検出する（ステップＳ１３）。また、制御部１０ａは、第４接続部Ｃ４に接続された室温検出器１０ｏを検出する（ステップＳ１４）。更に、制御部１０ａは、第５接続部Ｃ５に接続された湿度検出器１０ｐを検出する（ステップＳ１５）。
【００５３】
次いで、制御部１０ａは、第６接続部Ｃ６に接続された汚れ検出器１０ｑを検出し（ステップＳ１６）、第７接続部Ｃ７に接続された記憶素子１０ｎを検出する（ステップＳ１７）。
【００５４】
次いで、制御部１０ａは、受信した検査データが有する接続状態検査データと、ステップＳ１３乃至ステップＳ１７で検出した検出結果とに基づいて、接続状態検査データのアドレス１〜アドレス７が示す第１乃至第７接続部Ｃ１，…，Ｃ７に各種電子部品が接続されているか否かを判定する（ステップＳ１８）。
【００５５】
第１乃至第７接続部Ｃ１，…，Ｃ７に各種電子部品が接続されていると判定した場合（ステップＳ１８：ＹＥＳ）、制御部１０ａは、記憶素子１０ｎからデータ、例えば制御定数を取得する（ステップＳ１９）。
【００５６】
そして、制御部１０ａは、ステップＳ１９で取得したデータと受信した検査データが有する記憶内容検査データとに基づいて、記憶内容検査データのアドレス８が示す所定のデータを記憶素子１０ｎが記憶しているか否かを判定する（ステップＳ２０）。所定のデータを記憶していると判定した場合（ステップＳ２０：ＹＥＳ）、制御部１０ａは、発光ダイオード１０ｄを点灯する（ステップＳ２１）。そして、制御部１０ａは、正常である旨の報知音をスピーカ１０ｅに出力させ（ステップＳ２２）、空気調和機１の検査に係る処理を終える。正常である旨は、例えば遠隔操作データの受信確認音より長い音を出力させ、又は受信確認音を複数回繰り返し出力させて報知する。
【００５７】
第１乃至第７接続部Ｃ１，…，Ｃ７に各種電子部品が接続されていないと判定した場合（ステップＳ１８：ＮＯ）、又は記憶素子１０ｎが所定のデータを記憶していないと判定した場合（ステップＳ２０：ＮＯ）、制御部１０ａは、発光ダイオード１０ｄを消灯し（ステップＳ２３）、空気調和機１の検査に係る処理を終える。
【００５８】
このように構成された空気調和機１にあっては、第１乃至第７接続部Ｃ１，…，Ｃ７に各種電子部品が接続されているか否か、及び記憶素子１０ｎが所定のデータと同一の制御定数を記憶しているか否かを空気調和機１の制御部１０ａが判定し、判定結果に係る情報、即ち検査結果を発光ダイオード１０ｄの点灯又は消灯によって報知することができる。
従って、検査結果は、各種電子部品の検出結果に比べて情報量が少なく、１個の発光ダイオード１０ｄの点灯にて一時に報知することができるため、従来の空気調和機１に比べて接続状態の検査時間を短縮することができる。
【００５９】
また、発光ダイオード１０ｄ、液晶表示部の増設が不要であり、低コストで検査することができる。
【００６０】
更に、記憶素子１０ｎが所定のデータを記憶していることを制御部１０ａが検査し、検査結果を発光ダイオード１０ｄの点灯又は消灯によって報知することができる。従って、従来の空気調和機１に比べて記憶内容の検査時間を短縮することができる。
【００６１】
更にまた、発光ダイオード１０ｄ及び報知音によって、検査結果を報知することができ、検査員は、視覚又は聴覚によって検査結果を認識することができる。
【００６２】
更にまた、遠隔操作装置２を用いて、検査データを送信する構成であるため、専用の検査装置を用意することなく、低コストで効率的に空気調和機１を検査することができる。
【００６３】
なお、検査データを送信する装置として遠隔操作装置を採用しているが、検査データを送信する専用の検査データ送信装置を採用しても良い。
また、製造される全ての空気調和機に係る遠隔操作装置が検査データを送信するように構成する必要はなく、１種類の空気調和機に対して、検査データを送信可能な遠隔操作装置を少なくとも一つ用意すれば良い。
更に、複数種の電気機器を検査するための検査データを記憶し、送信する検査データを切り換える切換スイッチを備えた遠隔操作装置を用いて、空気調和機を検査するように構成しても良い。この場合、一つの遠隔操作装置を用いて、他の電気機器も同様に検査することができる。
更にまた、遠隔操作装置が記憶する検査データを書き換え可能に構成しても良い。例えば、検査データを入力する入力インタフェースと、記憶部が記憶している検査データを消去する手段と、入力インタフェースに入力した検査データを新たに記憶部に書き込む手段とを遠隔操作装置に備えても良い。
【００６４】
更にまた、発光ダイオードの発光及びスピーカによる報知音によって、検査結果を報知するように構成しているが、発光ダイオードの発光のみ又は報知音のみで、検査結果を報知するように構成しても良い。
【００６５】
更にまた、図３及び図４に示した処理と同時に、室内ファン、風向板等を駆動させても良い。この場合、接続状態及び記憶内容の検査と共に、駆動系の検査を同時に実行でき、より短時間で、空気調和機を検査することができる。
【００６６】
更にまた、空気調和機の室内機を検査する例を説明したが、室外機を検査する場合に適用しても良い。また、液晶パネルのような表示部を備えず、組立工程において電子部品の接続を要する電気機器に本発明を適用しても良い。
【００６７】
（実施の形態２）
図５は、実施の形態２における空気調和機１の検査に係る制御部１０ａの処理手順を示すフローチャートである。実施の形態２に係る空気調和機１は、制御部１０ａの処理手順のみが実施の形態１に係る空気調和機１と異なるため、以下では主に上記相違点について説明する。
【００６８】
検査開始を指示するデータを受信部１０ｃが受信した場合、制御部１０ａは、図３及び図４に示した接続状態及び記憶内容の検査に関するステップＳ１１乃至ステップＳ１８と同様の処理を実行する。第１乃至第７接続部Ｃ１，…，Ｃ７に各種電子部品が接続されていないと判定した場合（ステップＳ１８：ＮＯ）、制御部１０ａは、各種電子部品が未接続の第１乃至第７接続部Ｃ１，…，Ｃ７を特定する（ステップＳ２１９）。そして、制御部１０ａは、特定した第１乃至第７接続部Ｃ１，…，Ｃ７を示すデータを送信部１０ｂに送信させる（ステップＳ２２０）。
送信された前記データは受信装置、例えば遠隔操作装置２が受信し、未接続の第１乃至第７接続部Ｃ１，…，Ｃ７を示す番号を表示部に表示する。
【００６９】
ステップＳ２２０の処理を終えた場合、制御部１０ａは、第７接続部Ｃ７に記憶素子１０ｎが接続されているか否かを判定する（ステップＳ２２１）。
【００７０】
記憶素子１０ｎが接続されていると判定した場合（ステップＳ２２１：ＹＥＳ）、又は第１乃至第７接続部Ｃ１，…，Ｃ７に各種電子部品が接続されていると判定した場合（ステップＳ１８：ＹＥＳ）、制御部１０ａは、記憶素子１０ｎからデータを取得する（ステップＳ２２２）。そして、制御部１０ａは、所定のデータを記憶しているか否かを判定する（ステップＳ２２３）。
【００７１】
所定のデータを記憶していると判定した場合（ステップＳ２２３：ＹＥＳ）、制御部１０ａは、記憶素子１０ｎが所定のデータを記憶している旨のデータを送信部１０ｂに送信させ（ステップＳ２２４）、空気調和機１の検査に係る処理を終える。
【００７２】
記憶素子１０ｎが接続されていないと判定した場合（ステップＳ２２１：ＮＯ）、又は所定のデータを記憶していないと判定した場合（ステップＳ２２３：ＮＯ）、制御部１０ａは、記憶素子１０ｎが所定のデータを記憶していない旨のデータを送信部１０ｂに送信させ（ステップＳ２２５）、空気調和機１の検査に係る処理を終える。
【００７３】
実施の形態２に係る空気調和機１にあっては、第１乃至第７接続部Ｃ１，…，Ｃ７に各種電子部品が接続されていること、及び記憶素子１０ｎが所定のデータを記憶していることを空気調和機１の制御部１０ａが検査し、検査結果のデータを送信することで、検査結果を報知することができる。
例えば、前記データを遠隔操作装置２にて受信し、受信したデータに基づいて検査結果を表示部に表示させるように構成した場合、空気調和機１の検査員は、遠隔操作装置２の表示部で、検査結果を確認することができ、効率的に空気調和機１を検査することができる。
【００７４】
また、本発明によれば、電子部品が接続されていない第１乃至第７接続部Ｃ１，…，Ｃ７を報知することができ、検査員は、電子部品が接続されていない第１乃至第７接続部Ｃ１，…，Ｃ７を確認することができる。
【００７５】
なお、実施の形態２にあっては、未接続の第１乃至第７接続部を示すデータを無線で送信するように構成してあるが、室内機が表示部を備えている場合、該表示部に未接続の第１乃至第７接続部を示す番号を表示させるように構成しても良い。
【００７６】
実施の形態２に係る空気調和機検査システムの他の構成、作用及び効果は、実施の形態１に係る空気調和機検査システムの構成、作用及び構成と同様であるため、対応する箇所には同様の符号を付して詳細な説明を省略する。
【００７７】
（実施の形態３）
図６は、実施の形態３における空気調和機１の検査に係る制御部１０ａの処理手順を示すフローチャートである。実施の形態３に係る空気調和機１は、制御部１０ａの処理手順のみが実施の形態１に係る空気調和機１と異なるため、以下では主に上記相違点について説明する。
【００７８】
検査開始を指示するデータを受信部１０ｃが受信した場合、制御部１０ａは、図３及び図４に示した接続状態及び記憶内容の検査に関するステップＳ１１乃至ステップＳ２０と同様の処理を実行する。ステップＳ２０で所定のデータを記憶していると判定した場合（ステップＳ２０：ＹＥＳ）、制御部１０ａは、室内ファン駆動部１０ｈを駆動させ（ステップＳ３２１）、風向板駆動部１０ｆを駆動させる（ステップＳ３２２）。ステップＳ３２１では、例えば室内ファン１０ｉを最大出力又は最小出力で駆動させることにより、空気調和機１が正常である旨を報知する。ステップＳ３２２では、例えば風向板１０ｇを所定位置へ移動若しくは往復移動させ、又は最大速度で移動させることにより、空気調和機１が正常である旨を報知する。
ステップＳ３２２の処理を終えた場合、又は所定のデータを記憶していないと判定した場合（ステップＳ２０：ＮＯ）、制御部１０ａは、空気調和機１の検査に係る処理を終える。
【００７９】
実施の形態３に係る空気調和機１にあっては、第１乃至第７接続部Ｃ１，…，Ｃ７に各種電子部品が接続されていること、及び記憶素子１０ｎが所定のデータを記憶していることを空気調和機１の制御部１０ａが検査し、検査結果を、既存の室内ファン１０ｉ及び風向板１０ｇの駆動によって報知することができる。
【００８０】
実施の形態３に係る空気調和機検査システムの他の構成、作用及び効果は、実施の形態１に係る空気調和機検査システムの構成、作用及び構成と同様であるため、対応する箇所には同様の符号を付して詳細な説明を省略する。
【図面の簡単な説明】
【００８１】
【図１】本発明の実施の形態１に係る空気調和機及び遠隔操作装置からなる空気調和機検査システムの構成を示すブロック図である。
【図２】検査データの内容を示す模式図である。
【図３】空気調和機の検査に係る制御部の処理手順を示すフローチャートである。
【図４】空気調和機の検査に係る制御部の処理手順を示すフローチャートである。
【図５】実施の形態２における空気調和機の検査に係る制御部の処理手順を示すフローチャートである。
【図６】実施の形態３における空気調和機の検査に係る制御部の処理手順を示すフローチャートである。
【符号の説明】
【００８２】
１  空気調和機
２  遠隔操作装置
１０  室内機
１０ａ  制御部
１０ｂ  送信部
１０ｃ  受信部
１０ｄ  発光ダイオード
１０ｅ  スピーカ
１０ｆ  風向板駆動部
１０ｇ  風向板
１０ｈ  室内ファン駆動部
１０ｉ  室内ファン
１０ｊ  室内熱交換器
１０ｋ  第１機能設定スイッチ
１０ｌ  第２機能設定スイッチ
１０ｍ  第３機能設定スイッチ
１０ｎ  記憶素子
１０ｏ  室温検出器
１０ｐ  湿度検出器
１０ｑ  汚れ検出器
１１  室外機
Ｃ１  第１接続部
Ｃ２  第２接続部
Ｃ３  第３接続部
Ｃ４  第４接続部
Ｃ５  第５接続部
Ｃ６  第６接続部
Ｃ７  第７接続部
【図１】
2007303704.tif 000003
【図２】
2007303704.tif 000004
【図３】
2007303704.tif 000005
【図４】
2007303704.tif 000006
【図５】
2007303704.tif 000007
【図６】
2007303704.tif 000008